(57)【要約】【課題】減圧又は真空環境下で排気や収納されている対象物の交換等に伴う対象物の温度変化をより効果的に防止する恒温真空容器及びそれを利用する露光装置を提供する。【解決手段】対象物を収納し、減圧又は真空環境において前記対象物の温度を一定に保つための恒温真空容器であって、当該恒温真空容器内の少なくとも一部に設けられた温度調節板と、当該温度調節板を温度調節するための温度調節機構とを有することを特徴とする恒温真空容器を提供する。【選択図】          図１
2004273864.tif 000002
【特許請求の範囲】
【請求項１】
対象物を収納し、減圧又は真空環境において前記対象物の温度を一定に保つための恒温真空容器であって、
当該恒温真空容器内の少なくとも一部に設けられた温度調節部材と、
当該温度調節部材を温度調節するための温度調節機構とを有することを特徴とする恒温真空容器。
【発明の詳細な説明】
【０００１】
【発明の属する技術分野】
本発明は、減圧又は真空環境下で収納する対象物の温度を一定かつ均一に維持する恒温真空容器に関する。本発明は、例えば、内部雰囲気の変動や排気ポンプ等の発熱の影響より生じる温度変化を極度に嫌う超精密部材や光学系を収納するための恒温真空容器に好適である。また、本発明は、前記恒温真空容器を使用する露光装置にも関する。
【０００２】
【従来の技術】
従来の恒温容器は、温度調整された気体冷媒を容器内に循環させて、容器内の装置の温度を気体冷媒と同じ温度にすることで恒温容器の役割を果たしてきた。従来の恒温容器の一例として恒温容器を利用した露光装置ＥＯを説明する（例えば、特許文献１参照。）。ここで、図９は、露光装置ＥＯ内の恒温容器を示す概略断面図である。露光装置Ｅ０は、筐体１０１によって構成されたチャンバー１０１ａ内に、図示しない照明光学系、投影レンズ系、レチクルステージおよびウエハステージ等を備えた露光ユニット１１４と、前記露光ユニット１１４の側傍に配設されたレチクルライブラリー１１３、ウエハキャリヤ１１２を載置するためのキャリヤ台１１１等を備える。
【０００３】
筐体１０１の一方の側壁には、レチクルライブラリー１１３に対応する部位に開閉扉１０９ａが付設されたレチクル用出入口１０９が設けられると共に、キャリヤ台１１１に対応する部位には開閉扉１１０ａが付設されたウエハ用出入口１１０が設けられている。
【０００４】
また、チャンバー１０１ａの図中上部には清浄な空気をダウンフローで吹出すためのフィルタ１０２ａによって仕切られた天井空間部１０２が形成されている。チャンバー１０１ａの図中下部には複数の排気口を有する床１０３で仕切られた床下空間部１０４が形成されている。天井空間部１０２と床下空間部１０４とは温調器１０６が介在された循環ダクト１０５によって連通されている。これにより、空気導入ファン１０７により天井空間部１０２に導入された空気は、フィルタ１０２ａによって清浄な空気となってダウンフローで吹出され、排気ファン１０８によって床下空間部１０４内に集められた空気は、循環ダクト１０５の温調器１０６により所定の温度に温調されたのち循環ファン１０９によって天井空間部１０２へ送られて再循環される。
【０００５】
このように、温調された空気をチャンバー内で循環させることで、温度変化を極度に嫌う露光ユニット１１４の温度を一定に保つ構成になっている。
【０００６】
【特許文献１】
特開平１０−１５４６５５号公報
【０００７】
【発明が解決しようとする課題】
従来例では、気体を介して容器内の装置の温調を行っているが、容器内を真空する必要が生じた場合、気体を介した装置の温調を行うことができなくなる。特に、極端紫外（ＥＵＶ：ｅｘｔｒｅｍｅ  ｕｌｔｒａｖｉｏｌｅｔ）光を利用して半導体ウェハ用の単結晶基板、液晶ディスプレイ（ＬＣＤ）用のガラス基板などの被処理体を投影露光する露光装置では、ＥＵＶ光が空気に吸収されて減衰することを防止するために光学系を真空雰囲気内に維持する必要がある。
【０００８】
熱媒体である気体が存在しなくなると、装置と容器間で接触している部分での熱伝導と、接触していない部分での輻射による熱移動が生じる。一般に、精密装置を設置する場合、がたがないように若しくは装置と容器間での相対的変形の影響を受けないようにする為に３点支持による固定を行う場合が多い。そのため、装置と容器間での接触面積は非常に小さく伝導による熱移動が少ない状況にある。そのため、熱伝導による温調可能であったとしても、容器内装置の一部しか温調できず装置全体を均一温度に保つことは困難になっている。
【０００９】
以上のことから真空恒温容器では、容器内の装置等を一定温度に保つ手段として輻射を利用するのが好ましいといえる。このため、図８に示すように、容器全体の温度を一定かつ均一に温度調整して、容器内装置を輻射による熱移動で容器７温度に平衡させる構成が考えられる。ここで、図８は、従来技術から考えることができる恒温真空容器の構成を示す概略断面図である。図８において、１は温度調節すべき対象物（ここでは、露光対象物としての基板）、２は天板、３はガイド、４は駆動部、５はステージ定盤、６は冷媒用配管、７は真空容器、８は光学系装置、９は断熱支持部材、１０は冷媒用配管（輻射遮蔽板用）、１１は温度調節板（温度調節部材）、１２は排気装置である。ここで、１１は必ずしも板状の部材である必要は無く、柱状、箱状であっても構わない。但し、重さ（体積でも良い）に比して表面積が広い部材の方が好ましいので、板状の部材の方が好ましい。
【００１０】
しかし、恒温容器が、特に、真空容器を兼ねる場合、真空を維持するための排気装置１２が接続され、排気装置１２がターボ分子ポンプなどから構成される場合には、大きな発熱を生じるうえに容器７に直付けが一般的である。また、ＥＢ露光装置などでは、電子銃の発熱が多いことも知られている。そのため、これらの発熱の影響で容器７の温度分布が生じやすい。真空容器は一般に耐圧の関係から容器７の肉厚が大きく、そのため熱容量が大きいことから、温度を一定に保つことは割合容易に実現できるが、上記発熱要因より生じる温度不均一を高精度に抑制することは難しい。また、設置場所によっては設置雰囲気の温大きな度変化にチャンバーの冷却が対応できず、チャンバーの温度むらを生じることもある。
【００１１】
また、精密装置の中には温度変化を極端に嫌うのが一般的である。例えば、露光装置においては、露光対象である基板周辺は露光中の温度変化が０．１ｍ℃から１ｍ℃レベルしか許されない。これ以上の温度変化は解像ムラを引き起こす。そのため、本発明のような設置雰囲気によらず装置温度を均一かつ一定にできる恒温真空容器が必要とされている。
【００１２】
そこで、減圧又は真空環境下で排気や収納されている対象物の交換等に伴う対象物の温度変化をより効果的に防止する恒温真空容器及びそれを利用する露光装置を提供することを本発明の例示的な目的とする。
【００１３】
【課題を解決するための手段】
本発明の一側面としての恒温真空容器は、対象物を収納し、減圧又は真空環境において前記対象物の温度を一定に保つための恒温真空容器であって、当該恒温真空容器内の少なくとも一部に設けられた温度調節板と、当該温度調節板を温度調節するための温度調節機構とを有することを特徴とする。
【００１４】
本発明の他の目的及び更なる特徴は以下添付図面を参照して説明される好ましい実施例によって明らかにされるであろう。
【００１５】
【発明の実施の形態】
図１は、本実施形態の恒温真空容器を用いた真空内位置決め装置構成を示した図である。容器７は、図８に示す容器７と異なり、冷媒用配管１０を廃止し、容器７に断熱支持部材９を介して温度調節板１１を取り付けた。代替的に、図８と同様に、容器を温調する冷媒用配管１０を併用しても構わない。
【００１６】
温度調節板１１は冷媒用配管１０が密着されており、冷媒用配管１０を精密温調された冷媒が流れることにより、温度調節板１１の温度が均一かつ一定に精密に温調される。図４に示すように温度調節板全体になるべく温度むらが生じないように冷媒用配管１０を張り巡らしている。ここで図４は、図１に示す恒温真空容器の温度調節板１１の概略平面図を示す。また、ターボ分子ポンプのような排気装置１２は通常温度が高いため、そこから生じる熱放射が容器７に入らないように図４のような温度調節板１１を排気口に対向させるのが熱の観点からは良いが、排気口をふさぐ形になるため排気装置１２の効率が落ちてしまう。そこで、排気効率と熱仕様とのバランスに応じて、図５のような温度調節板も考えられる。ここで図５は、図１に示す恒温真空容器の別の温度調節板の概略平面図である。つまり、排気装置１２から放出される熱放射をある程度は漏れることを前提に、温度調節板の排気口に対向している部分に穴をあけている。この穴の大きさは、排気効率と熱仕様とのバランスに応じて決めるべきである。
【００１７】
温度調節板１１の温度は位置決め装置全体の設定温度（例えば、２３℃）と同じ温度に設定される。ここで、温度調節板１１の温調は、さらに温調精度を上げるためペルチェ素子を用いたりすることも可能であるが、本発明では温度調節板１１が求める精度の温調が実現できれば、温調方式に因らない。
【００１８】
本実施形態の温度調節機構は、図示しない温度センサとヒータ装置とを温度調節板１１に接続し、温度調節板１１に冷却水や冷媒（アルコール、フッ素系冷媒、フロン等）を導入することにより温度調節板１１の温度を所定の温度に制御する。温度調節板１１は、例えば、ステンレスなど熱伝導率がよく、冷却水などが流れる流路を内部に加工しやすい材料が選択される。
【００１９】
このような構成にすることで、たとえ容器７の温度変化が大きく生じても、その変化がもたらす輻射熱の変動が温度制御されている温度調節板１１によって吸収されてしまう。そのため、容器７の温度変化が位置決め対象１を始めとする位置決め装置全体に全く影響を及ぼさない。つまり、容器７からの熱外乱を完全に遮蔽することが可能となる。
【００２０】
さらに、温度調節板１１の温度が位置決め対象１や位置決め装置全体の温度と同じに設定されていることから、位置決め装置内の一部もしくは全体の温度が設定温度より高くもしくは低くなった場合、温度調節板との輻射熱による熱移動により、輻射板温度に近づく方向に平衡し、全体として位置決め装置全体が均一かつ一定に温調が行われる。
【００２１】
ここで、容器７ではなく温度調整板１１に冷媒配管を這わすのは、温度調整が非常に容易であるからである。容器７の表面全体は設置雰囲気（気体）と接しており熱移動面積が大きく、容器７温度が雰囲気温度に非常に振られやすい。一方、温度調整板１１はチャンバー内に設置されており、かつ容器７とは断熱材で支持されていることから、熱移動はほとんどないので非常に温度調整が容易である。
【００２２】
また、これらの効果を大きくするため、容器７と温度調節板１１との間の熱移動が小さくなるよう、容器７表面と温度調節板１１の容器側表面の放射率を小さくしている。また、温度調節板１１と位置決め装置との熱移動を促進するために、温度調節板１１に対向する位置決め装置の表面および、温度調節板１１の位置決め装置側表面の放射率を高く構成している。しかし、容器内装置に発熱や吸熱要素が存在し、温度ムラが生じている部分がある場合、この部分が周辺部分へ悪影響を及ぼさないように、発熱もしくは吸熱部分とその周辺の放射率は低くしている。
【００２３】
放射率の調整は、放射率を、例えば、約０．４以下に低くする場合は表面を研磨した金属面などで構成し、放射率を、例えば、約０．８以上に高くする場合、ポリイミドやＰＥＥＫなど脱ガスの少ない樹脂やガラスや厚い酸化膜を有する金属などで構成する。もし、剛性等の問題でこれらの材料で構成できない場合は、表面にこれらの材料を接着や蒸着などの手段で貼り付けることでもよい。
【００２４】
具体的には、温度調節板１１の容器７に対向する面又は温度調節板１１に対向する容器７の内面の放射率が約０．４以下になるように調節されていることが好ましい。放射率を低く設定することにより、温度変化が温度調節板と恒温真空容器の内面との間で輻射されて両者に悪影響を及ぼすことを防止することができる。同様に、温度調節板１１の対象物１に対向する面又は対象物１の温度調節板１１に対向する面における放射率が約０．８以上になるように調節されていることが好ましい。また、恒温真空容器７の温度が一定に保たれている表面の放射率が約０．８以上になるように調節されていることが好ましい。放射率を高く設定することにより、輻射を促進して対象物及び容器の温度を一定に維持することができる。
【００２５】
図２に図１の変形例を示す。同図は、容器７内で温度ムラの生じている部分に限って温度調節板１１を設置した例である。
【００２６】
真空容器は通常ターボ分子ポンプなどの排気装置１２が容器に直付けされており、その発熱が容器７の温度ムラを生じさせることで、容器内装置の温度変化を招くなど、恒温容器としての性能を悪化させてしまう。そのため、容器７内で温度ムラが許容されない部分周辺に、温度調節板１１を配置している。温度調節板１１の設置されていない部分に関しては、容器内壁の温度が恒温容器としての許容範囲内なので、とくに温度調節板１１を設置していない。このように、排気装置１２などの発熱体が容器７に設置されている場合は、その発熱によって容器内で温度上昇する周辺に限って温度調節板を設置することで、簡易に恒温容器としての機能を果たすことが可能となる。このとき、温度調節板を設置していない部分の容器内壁は、恒温容器としての効率を上げるために、放射率を高く構成するとよい。
【００２７】
以下、図３を参照して、本発明の一実施形態の露光装置を説明する。露光装置は露光用の照明光としてＥＵＶ光（例えば、波長１３．４ｎｍ）を用いて、ステップ・アンド・スキャン方式の露光を行う投影露光装置である。露光装置は、光源部１００と、照明光学系２００と、マスク３００と、投影光学系４００と、被処理体５００とを有する。また、露光装置は、マスク３００を載置するマスクステージ３５０と、被処理体５００を載置するウェハステージ５５０とを更に有し、マスクステージ３５０とウェハステージ５５０は図示しない制御部に接続されて駆動制御されている。光源部１００と照明光学系２００は照明装置を構成する。ここで、図３は、露光装置の概略図である。
【００２８】
ＥＵＶ光は大気に対する透過率が低いため、露光装置は、光源部１００を真空容器１２に収納し、残りの構成要素２００乃至５５０を真空容器１４に収納している。但し、本発明は少なくともＥＵＶ光が通る光路が真空雰囲気に維持された場合を含むものである。ここで、真空容器１２及び１４に図１及び図２を参照して上述した恒温真空容器が適用される。
【００２９】
光源部１００は、プラズマ発光点１２０からＥＵＶ光を生成する。光源部１００は、プラズマ生成のターゲットとなる液滴を噴射するノズル１３０と、励起レーザ光が照射されなかった液滴を回収して再利用するための液滴回収部１４０と、回転楕円ミラー１５０と、フィルタ１７０とを有する。
【００３０】
不図示の励起レーザ光源及び集光光学系からなる励起レーザ部から放射された、高出力の励起パルスレーザ光１１０は、発光点１２０の位置に集光するように構成されている。またレーザプラズマ光源のターゲットとなる液滴（例えば、Ｘｅ）は、ノズル１３０から一定の時間間隔で連続的に噴射され、集光点１２０を通過するようになっている。そして上記のように噴射された液滴が、ちょうど１２０の位置にきた時に、励起パルスレーザ光１１０がその液滴を照射することで高温のプラズマ発光点１２０を生成し、このプラズマからの熱輻射によってＥＵＶ光が放射状に発生する。
【００３１】
プラズマ発光点１２０から放射されたＥＵＶ光は、回転楕円ミラー１５０により集光されて、ＥＵＶ光束１６０として取りだされる。回転楕円ミラー１５０は、ＥＵＶ光を効率良く反射するための反射多層膜が成膜されており、高温のプラズマ１２０からの放射エネルギーを一部吸収するために、露光中に高温になる。そのために材質としては熱伝導性の高い金属等の材料を用いるとともに、不図示の冷却手段を有して、常に冷却されている。フィルタ１７０は、プラズマや周辺からの飛散粒子（デブリ）をカットしたり、ＥＵＶ露光に不要な波長をカットしたりする。ＥＵＶ光束１６０は、ＥＵＶ光束１６０は、真空容器１２及び１４の境界面に設けられた窓部２１０から、真空容器１４の照明光学系２００に導入される。窓部２１０は真空を維持したままＥＵＶ光束１６０を通過する機能を有する。
【００３２】
照明光学系２００は、反射型縮小投影光学系１００の円弧状の視野に対応する円弧状のＥＵＶ光によりマスク３００を均一に照明し、回転放物面ミラー２２０及び２６０と放物面ミラー２４０と、反射型インテグレータ２３０及び２５０と、マスキングブレード２７０と、リレー光学系２８２乃至２８６（以下、特に断らない限り「２８０」で総括する。）とを有する。
【００３３】
回転放物面ミラー２２０は、窓部２１０から導入されたＥＵＶ光束１６０を反射して平行光束２２２を形成する。次に、平行光束となったＥＵＶ光２２２は、複数の凸状円筒面２３２を有する反射型凸状円筒面インテグレータ２３０に入射する。インテグレータ２３０の各円筒面２３２により形成された２次光源から放射されるＥＵＶ光を放物面ミラー２４０により集光して重畳することにより、複数の凸状円筒面２５２を有する反射型インテグレータ２５０の円筒整列方向をほぼ均一な強度分布で照明することができる。
【００３４】
反射型インテグレータ２３０は複数の円筒面を有し、回転放物面ミラー２４０と共に、反射型インテグレータ２５０を均一に（即ち、後述するようにほぼケーラー照明で）照明する。これにより、後述する円弧照明領域の径方向の光強度分布を均一にすると共に反射型インテグレータ２５０からの有効光源分布を均一にすることができる。反射型インテグレータ２３０、２５０は、繰返し周期を有する微小な凸又は凹球面を２次元に多数配列したフライアイミラーに置換されてもよい。
【００３５】
反射型インテグレータ２５０は複数の円筒面を有し、マスク面を均一に照明する。反射型インテグレータ２５０にほぼ平行なＥＵＶ光束を入射すると、インテグレータ２５０によって２次光源が形成されると共に、この２次光源から放射されるＥＵＶ光の角度分布が円錐面状となる。次に、この２次光源位置を焦点とする反射鏡で前記ＥＵＶ光を反射してマスク３００あるいはマスク３００と共役な面を照明することにより、円弧形状の照明が可能となる。
【００３６】
放物面ミラー２４０は、その焦点位置がインテグレータ２３０の反射面にほぼ一致するように配置されており、反射面上の各円筒面からの反射光がインテグレータ２５０の反射面上でそれぞれ重畳するように設定されている。放物面ミラー２４０は、インテグレータ２５０の円筒反射面の長手方向に関する光強度分布を均一にすればよいので、放物面断面を有する必要はあるが、必ずしも回転方物面ミラーである必要はない。このように放物面ミラー２４０はインテグレータ２５０の反射面上に対して、ほぼケーラー照明となるように配置されている。
【００３７】
インテグレータ２５０により反射されたＥＵＶ光束は、回転放物面ミラー２６０により集光されて、その焦点距離ｆの位置に配置されたマスキングブレード２７０上に、均一な円弧照明領域を形成する。
【００３８】
マスキングブレード２７０は、ＥＵＶ光を吸収する材質により構成された遮光部と、露光に最適な所望の円弧形状の開口部とを有する。マスキングブレード２７０は、円弧照明に寄与しない不要な迷光を遮光すると共に、不図示のスリット幅可変機構により、所望のスリット幅に設定したり、部分的にスリット幅を変えることで照度ムラを良好に補正したりする機能を有する。
【００３９】
マスキングブレード２７０の円弧形状開口部を通過したＥＵＶ光束は、リレー光学系２８０により所望の倍率に変換されたのち、マスクステージ３５０に保持された反射型マスク３００上に円弧照明領域を形成することによって円弧照明を行う。複数のミラー面から形成されるリレー光学系２８０は、円弧形状を所定の倍率で拡大または縮小する機能を有する。
【００４０】
反射型マスク３００は多層膜反射鏡の上にＥＵＶ吸収体などからなる非反射部を設けた転写パターンが形成されている。円弧形状に照明された反射型マスク３００からの回路パターン情報を有するＥＵＶ反射光は、投影光学系４００により露光に最適な倍率で感光材が塗布された被処理体５００に投影結像されることで、回路パターンの露光が行なわれる。本実施例の投影光学系４００は６枚のミラーから構成されている反射型投影光学系であるが、ミラーの枚数は６枚に限定されず、４枚、５枚、８枚など所望の数を使用することができる。
【００４１】
上記被処理体５００はウェハステージ５５０に固定されており、紙面上で上下前後に平行移動する機能を持ち、その移動は不図示のレーザ干渉計等の測長器で制御されている。そして、投影光学系４００の倍率をＭとすると、例えば反射型マスク３００を紙面に平行な方向に速度ｖで走査すると同時に、被処理体５００を紙面に平行な方向に速度ｖ／Ｍにて同期走査することで、全面露光が行なわれる。
【００４２】
本実施形態ではウェハへの露光としているが、露光対象としての被処理体５００はウェハに限られるものではなく、液晶基板その他の被処理体を広く含む。被処理体５００にはフォトレジストが塗布されている。フォトレジスト塗布工程は、前処理と、密着性向上剤塗布処理と、フォトレジスト塗布処理と、プリベーク処理とを含む。前処理は洗浄、乾燥などを含む。密着性向上剤塗布処理は、フォトレジストと下地との密着性を高めるための表面改質（即ち、界面活性剤塗布による疎水性化）処理であり、ＨＭＤＳ（Ｈｅｘａｍｅｔｈｙｌ−ｄｉｓｉｌａｚａｎｅ）などの有機膜をコート又は蒸気処理する。プリベークはベーキング（焼成）工程であるが現像後のそれよりもソフトであり、溶剤を除去する。
【００４３】
ウェハステージ５５０は被処理体５００を支持する。ステージ５５０は、当業界で周知のいかなる構成をも適用することができ、例えば、リニアモータを利用してＸＹＺ方向に被処理体５００を移動する。マスク３００と被処理体５００は、図示しない制御部により制御され同期して走査される。また、マスクステージ３５０とウェハステージ５５０の位置は、例えば、レーザ干渉計などにより監視され、両者は一定の速度比率で駆動される。
【００４４】
ここでは、主にＥＵＶ光を用いた露光装置について述べて来たが、本願実施例は、ＥＵＶに限らず、電子ビームを用いた露光装置に適用することも可能である。また、Ｘ−ｒａｙを用いた露光装置に適用しても構わない。
【００４５】
次に、図６及び図７を参照して、上述の露光装置を利用したデバイスの製造方法の実施例を説明する。図６は、デバイス（ＩＣやＬＳＩなどの半導体チップ、ＬＣＤ、ＣＣＤ等）の製造を説明するためのフローチャートである。ここでは、半導体チップの製造を例に説明する。ステップ１（回路設計）ではデバイスの回路設計を行う。ステップ２（マスク製作）では、設計した回路パターンを形成したマスクを製作する。ステップ３（ウェハ製造）ではシリコンなどの材料を用いてウェハを製造する。ステップ４（ウェハプロセス）は前工程と呼ばれ、マスクとウェハを用いてリソグラフィ技術によってウェハ上に実際の回路を形成する。ステップ５（組み立て）は後工程と呼ばれ、ステップ４によって作成されたウェハを用いて半導体チップ化する工程であり、アッセンブリ工程（ダイシング、ボンディング）、パッケージング工程（チップ封入）等の工程を含む。ステップ６（検査）では、ステップ５で作成された半導体デバイスの動作確認テスト、耐久性テストなどの検査を行う。こうした工程を経て半導体デバイスが完成し、これが出荷（ステップ７）される。
【００４６】
図７は、図６に示すステップ４のウェハプロセスの詳細なフローチャートである。ステップ１１（酸化）ではウェハの表面を酸化させる。ステップ１２（ＣＶＤ）では、ウェハの表面に絶縁膜を形成する。ステップ１３（電極形成）では、ウェハ上に電極を蒸着などによって形成する。ステップ１４（イオン打ち込み）ではウェハにイオンを打ち込む。ステップ１５（レジスト処理）ではウェハに感光剤を塗布する。ステップ１６（露光）では、露光装置２００によってマスクの回路パターンをウェハに露光する。ステップ１７（現像）では、露光したウェハを現像する。ステップ１８（エッチング）では、現像したレジスト像以外の部分を削り取る。ステップ１９（レジスト剥離）では、エッチングが済んで不要となったレジストを取り除く。これらのステップを繰り返し行うことによってウェハ上に多重に回路パターンが形成される。
【００４７】
以上、本発明の好ましい実施例について説明したが、本発明はこれらの実施例に限定されないことはいうまでもなく、その要旨の範囲内で種々の変形及び変更が可能である。例えば、温度調節板１１を設ける代わりに、冷媒用配管１０を排気装置１２の排気孔の周りに埋め込んで温度調節を行ってもよい。
【００４８】
本出願は更に、以下の事項を開示する。
【００４９】
（実施態様１）  対象物を収納し、減圧又は真空環境において前記対象物の温度を一定に保つための恒温真空容器であって、
当該恒温真空容器内の少なくとも一部に設けられた温度調節部材と、
当該温度調節部材を温度調節するための温度調節機構とを有することを特徴とする恒温真空容器。
【００５０】
（実施態様２）  前記温度調節機構は、前記温度調節部材を冷媒を利用して温度調節することを特徴とする実施態様１記載の恒温真空容器。
【００５１】
（実施態様３）  前記温度調節部材を前記恒温真空容器の内部で支持する断熱部材を更に有することを特徴とする実施態様１記載の恒温真空容器。
【００５２】
（実施態様４）  前記温度調節部材の前記恒温真空容器に対向する面及び／又は前記温度調節部材に対向する前記恒温真空容器の内面の放射率が約０．４以下になるように調節されていることを特徴とする実施態様１記載の恒温真空容器。
【００５３】
（実施態様５）  前記温度調節部材の前記対象物に対向する面及び／又は前記対象物の前記温度調節部材に対向する面における放射率が約０．８以上になるように調節されていることを特徴とする実施態様１記載の恒温真空容器。
【００５４】
（実施態様６）  前記恒温真空容器において温度が一定に保たれている表面の放射率が約０．８以上になるように調節されていることを特徴とする実施態様１記載の恒温真空容器。
【００５５】
（実施態様７）  前記温度調節部材は板状の部材であることを特徴とする実施態様１記載の恒温真空容器。
【００５６】
（実施態様８）  実施態様１乃至７のうちいずれか一項記載の恒温真空容器に光学系が収納されて動作することを特徴とする露光装置。
【００５７】
（実施態様９）  実施態様１乃至７のうちいずれか一項記載の恒温真空容器に収納され、極端紫外線領域又はＸ線領域の光源から射出した光束を用いて照明されたマスク又はレチクルのパターンを被処理体に投影する投影光学系を有することを特徴とする露光装置。
【００５８】
（実施態様１０）  実施態様１乃至９のうちいずれか一項記載の恒温真空容器にマスクを載置したステージ及び／又は被処理体を載置したステージが収納されいることを特徴とする露光装置。
【００５９】
（実施態様１１）  実施態様１乃至７のうちいずれか一項記載の恒温真空容器に収納され、極端紫外線領域又はＸ線領域の光源から射出した光束を用いてマスク又はレチクルのパターンを投影される被処理体を載置するステージを有することを特徴とする露光装置。
【００６０】
（実施態様１２）  実施態様１乃至７のうちいずれか一項記載の恒温真空容器に収納され、電子ビームを用いてパターンを描画される被処理帯を載置するステージを有することを特徴とする電子ビーム露光装置。
【００６１】
（実施態様１３）  実施態様８乃至１２記載の露光装置を用いて基板を露光する工程と、
前記露光された基板に所定のプロセスを行う工程とを有することを特徴とするデバイス製造方法。
【００６２】
【発明の効果】
容器内装置と容器内壁との間に、水冷などで温度制御された温度調節板を設置することで、容器そのものを温度制御するよりも容易に、容器内の装置温度を均一かつ一定することが可能となる。この温度調節板の容器側の放射率を低くすることで容器の温度変化が温度調節板の温度制御に影響しにくくなる。また、容器内装置側の温度調節板表面と容器内装置の表面は、放射率を高く（例えば、０．８〜０．９以上）することで容器の恒温効果が高まる。更に、容器内で温度が一定に保たれている領域の内壁表面に関しては、放射率を高く構成することで恒温容器としての効率が向上する。また、このような恒温真空容器を用いた露光装置を構成することで、さらなる露光精度の向上が期待できる。
【００６３】
【図面の簡単な説明】
【図１】本発明の第１の実施形態の恒温真空容器の概略断面図である。
【００６４】
【図２】本発明の第２の実施形態の恒温真空容器の概略断面図である。
【００６５】
【図３】図１又は図２に示す恒温真空容器を使用した本発明の一実施形態の露光装置を示す概略図である。
【００６６】
【図４】図１に示す恒温真空容器の温度調節板の概略平面図を示す。
【００６７】
【図５】図１に示す恒温真空容器の別の温度調節板の概略平面図である。
【００６８】
【図６】デバイス（ＩＣやＬＳＩなどの半導体チップ、ＬＣＤ、ＣＣＤ等）の製造を説明するためのフローチャートである。
【００６９】
【図７】図６に示すステップ４のウェハプロセスの詳細なフローチャートである。
【００７０】
【図８】従来技術の構成から考えられる恒温真空容器の構成を示す概略断面図である。
【００７１】
【図９】従来の恒温真空容器を説明するための概略断面図である。
【００７２】
【符号の説明】
１            対象物（基板）
２            天板
３            ガイド
４            駆動部
５            ステージ定盤
６            冷媒用配管
７            真空容器
８            光学系装置
９            断熱支持部材
１０          冷媒用配管（輻射遮蔽板用）
１１          温度調節板
１２          排気装置
【図１】
2004273864.tif 000003
【図２】
2004273864.tif 000004
【図３】
2004273864.tif 000005
【図４】
2004273864.tif 000006
【図５】
2004273864.tif 000007
【図６】
2004273864.tif 000008
【図７】
2004273864.tif 000009
【図８】
2004273864.tif 000010
【図９】
2004273864.tif 000011
【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
対象物を収納し、減圧又は真空環境において前記対象物の温度を一定に保つための恒温真空容器であって、
当該恒温真空容器内の少なくとも一部に設けられた温度調節部材と、
当該温度調節部材を温度調節するための温度調節機構とを有することを特徴とする恒温真空容器。
【請求項２】
前記温度調節機構は、前記温度調節部材を冷媒を利用して温度調節することを特徴とする請求項１記載の恒温真空容器。
【請求項３】
前記温度調節部材を前記恒温真空容器の内部で支持する断熱部材を更に有することを特徴とする請求項１記載の恒温真空容器。
【請求項４】
前記温度調節部材の前記恒温真空容器に対向する面及び／又は前記温度調節部材に対向する前記恒温真空容器の内面の放射率が約０．４以下になるように調節されていることを特徴とする請求項１記載の恒温真空容器。
【請求項５】
前記温度調節部材の前記対象物に対向する面及び／又は前記対象物の前記温度調節部材に対向する面における放射率が約０．８以上になるように調節されていることを特徴とする請求項１記載の恒温真空容器。
【請求項６】
前記恒温真空容器において温度が一定に保たれている表面の放射率が約０．８以上になるように調節されていることを特徴とする請求項１記載の恒温真空容器。
【請求項７】
前記温度調節部材は板状の部材であることを特徴とする請求項１記載の恒温真空容器。
【請求項８】
請求項１乃至７のうちいずれか一項記載の恒温真空容器に光学系が収納されて動作することを特徴とする露光装置。
【請求項９】
請求項１乃至７のうちいずれか一項記載の恒温真空容器に収納され、極端紫外線領域又はＸ線領域の光源から射出した光束を用いて照明されたマスク又はレチクルのパターンを被処理体に投影する投影光学系を有することを特徴とする露光装置。
【請求項１０】
請求項１乃至９のうちいずれか一項記載の恒温真空容器にマスクを載置したステージ及び／又は被処理体を載置したステージが収納されいることを特徴とする露光装置。
【請求項１１】
請求項１乃至７のうちいずれか一項記載の恒温真空容器に収納され、極端紫外線領域又はＸ線領域の光源から射出した光束を用いてマスク又はレチクルのパターンを投影される被処理体を載置するステージを有することを特徴とする露光装置。
【請求項１２】
請求項１乃至７のうちいずれか一項記載の恒温真空容器に収納され、電子ビームを用いてパターンを描画される被処理帯を載置するステージを有することを特徴とする電子ビーム露光装置。
【請求項１３】
請求項８乃至１２記載の露光装置を用いて基板を露光する工程と、
前記露光された基板に所定のプロセスを行う工程とを有することを特徴とするデバイス製造方法。